(57)【要約】【課題】荷の姿勢をより確実に安定させることが可能な吊り天秤装置を提供する。【解決手段】揚重機に吊り上げ支持される吊り天秤本体１と、吊り天秤本体１と荷Ｍにそれぞれ一体に複数取り付けて配設される滑車装置４と、端部を吊り天秤本体１側及び／又は荷Ｍ側に固着しつつ吊り天秤本体１の滑車装置４の滑車と荷Ｍの滑車装置４の滑車に交互に巻き掛けて配設される吊りロープ３とを備えるとともに、揚重機で吊り天秤本体１を吊り上げ、吊りロープ３を通じて滑車装置４に荷Ｍの荷重が作用するとともに、滑車と吊りロープ３を固着するロック機構を少なくとも一つの滑車装置４に具備する。【選択図】図１
2017007808.tif 000002
【特許請求の範囲】
【請求項１】
揚重機に吊り上げ支持される吊り天秤本体と、
前記吊り天秤本体と荷にそれぞれ一体に複数取り付けて配設される滑車装置と、
端部を前記吊り天秤本体側及び／又は前記荷側に固着しつつ前記吊り天秤本体の滑車装置の滑車と前記荷の滑車装置の滑車に交互に巻き掛けて配設される吊りロープとを備えるとともに、
前記揚重機で前記吊り天秤本体を吊り上げ、前記吊りロープを通じて前記滑車装置に前記荷の荷重が作用するとともに、前記滑車と前記吊りロープを固着するロック機構が少なくとも一つの前記滑車装置に具備されていることを特徴とする吊り天秤装置。
【発明の詳細な説明】
【技術分野】
【０００１】
本発明は、吊り天秤装置に関する。
【背景技術】
【０００２】
従来、クレーンなどの揚重機を用いて荷を吊り上げる際には、荷の姿勢をバランスよく適正状態で維持するために吊り天秤装置が多用されている。
【０００３】
また、この吊り天秤装置Ａには、図３に示すように、揚重機に吊り上げ支持される吊り枠などの吊り天秤本体１と荷Ｍにそれぞれ複数の滑車２を設け、吊り天秤装置Ａと荷Ｍの滑車２に吊りロープ３を巻き掛けることにより、荷Ｍの姿勢を維持しながら吊り上げられるように構成したものがある（例えば、特許文献１参照）。
【先行技術文献】
【特許文献】
【０００４】
【特許文献１】特開２００７−２５４１４５号公報
【発明の概要】
【発明が解決しようとする課題】
【０００５】
一方、上記従来の吊り天秤本体１と滑車２と吊りロープ３からなる多点式の吊り天秤装置Ａは、例えば、荷Ｍの重心位置が図心位置からずれていたり（図３参照）、荷全体が剛性とみなせず、重量が均等負荷されない場合（図４参照）など、荷Ｍの姿勢を水平などの適正な状態で維持できなくなるケースがある。
【０００６】
また、このような不都合を解消するために複数のレバーブロック（登録商標）を吊り天秤本体１に追加で設け、各レバーブロックの長さを調整して荷Ｍを水平にする場合もあるが、この場合には吊り点が多いほど、複数のレバーブロックの長さをそれぞれ調整して荷Ｍの姿勢を適正な状態で維持することになるため、その調整作業に多大な時間、労力を要することになる。
【０００７】
上記事情に鑑み、本発明は、荷の姿勢をより確実に安定させることが可能な吊り天秤装置を提供することを目的とする。
【課題を解決するための手段】
【０００８】
上記の目的を達するために、この発明は以下の手段を提供している。
【０００９】
本発明の吊り天秤装置は、揚重機に吊り上げ支持される吊り天秤本体と、前記吊り天秤本体と荷にそれぞれ一体に複数取り付けて配設される滑車装置と、端部を前記吊り天秤本体側及び／又は前記荷側に固着しつつ前記吊り天秤本体の滑車装置の滑車と前記荷の滑車装置の滑車に交互に巻き掛けて配設される吊りロープとを備えるとともに、前記揚重機で前記吊り天秤本体を吊り上げ、前記吊りロープを通じて前記滑車装置に前記荷の荷重が作用するとともに、前記滑車と前記吊りロープを固着するロック機構が少なくとも一つの前記滑車装置に具備されていることを特徴とする。
【発明の効果】
【００１０】
本発明の吊り天秤装置においては、クレーンなどの揚重機で吊り天秤本体を吊り上げ、吊りロープを通じて滑車装置に荷の荷重が作用するとともにロック機構が作動して滑車と吊りロープを固着する。
これにより、水平の地上などに載置した状態の荷を吊り上げると、自動的にロック機構が作用し、水平などの適正状態を保持することができる。
【００１１】
よって、本発明の吊り天秤装置によれば、荷の重心位置が図心位置からずれていたり、荷全体が剛性とみなせず、重量が均等負荷されない場合などであっても、確実に荷の姿勢を水平などの適正な状態で維持しながら荷を吊り上げる（搬送する）ことが可能になる。
【図面の簡単な説明】
【００１２】
【図１】本発明の一実施形態に係る吊り天秤装置を示す図である。
【図２】本発明の一実施形態に係る吊り天秤装置のロック機構を備えた滑車装置を示す図である。
【図３】従来の吊り天秤装置を示す図である。
【図４】従来の吊り天秤装置を示す図である。
【発明を実施するための形態】
【００１３】
以下、図１及び図２を参照し、本発明の一実施形態に係る吊り天秤装置について説明する。
【００１４】
本実施形態の吊り天秤装置Ｂは、図１に示すように、クレーンなどの揚重機に吊り上げ支持される棒状や枠状の吊り天秤本体１と、吊り天秤本体１と荷Ｍにそれぞれ一体に且つ所定の間隔をあけて複数取り付けられる滑車装置４と、両端部を吊り天秤本体１の両側端側にそれぞれ固着しつつ吊り天秤本体１の滑車装置４の滑車（プーリー、シーブ）４ａと荷Ｍの滑車装置４の滑車（プーリー、シーブ）４ａに交互に巻き掛けて配設されるワイヤーなどの吊りロープ３とを備えて構成されている。
【００１５】
また、本実施形態の吊り天秤装置Ｂにおいては、図１及び図２に示すように、少なくとも一つの滑車装置４に滑車４ａと吊りロープ３を固着するロック機構５が具備されている。
【００１６】
このロック機構５は、揚重機で吊り天秤本体１を吊り上げ、吊りロープ３を通じて滑車装置４に荷Ｍの荷重が作用しはじめ、ある荷重閾値を上回る荷重が負荷されるとともに滑車４ａと吊りロープ３を固着し、荷重が荷重閾値を下回るとともに滑車４ａが通常の状態で動作するように滑車４ａと吊りロープ３の固着状態を解除するように構成されている。
【００１７】
具体的に、例えば、本実施形態のロック機構５は、図２に示すように、荷重が作用するとともに回動するリンク機構６と、リンク機構６のリンクアーム６ａに取り付けられ、荷重が作用してリンク機構６が回動するとともに吊りロープ３を滑車４ａに押し付け、摩擦などによって吊りロープ３と滑車４ａを固着させる押圧板７と、押圧板７を吊りロープ３から離す方向に付勢するバネ８とを備えて構成されている。
【００１８】
このように構成した本実施形態の吊り天秤装置Ｂにおいては、図１に示すように、通常の玉掛け作業を行って荷Ｍを吊り天秤装置Ｂに取り付けてから揚重機で吊り天秤本体１を吊り上げ、吊りロープ３に張力が生じはじめて荷Ｍが吊り上げられる直前（地切り直前）までの間、作用する荷重が荷重閾値以下であることにより、滑車装置４の機能が通常の状態で保持される。
【００１９】
このため、荷Ｍが吊り上げられる直前までの間に、荷Ｍと吊り天秤本体１がそれぞれ水平の状態（適正な姿勢の状態）で保持され、この状態に合わせるように全ての滑車装置４が作動して吊りロープ３の長さが自動調整される。
【００２０】
そして、揚重機でさらに吊り天秤本体１を吊り上げる際に、作用する荷重が荷重閾値以上となってロック機構５が作動し、ロック機構５の押圧板７が吊りロープ３を滑車４ａに押し付け、このロック機構５を備えた滑車装置４の吊りロープ３と滑車４ａが自動的に固着（ロック）される。
【００２１】
これにより、滑車装置４の機能が失われ、荷Ｍの荷重バランスなどによらず、荷Ｍと吊り天秤本体１が互いの水平状態を保持したまま吊り上げられて搬送されることになる。
【００２２】
また、荷Ｍを所定位置に載置して、作用する荷重が荷重閾値以下になると、自動的にバネ８による復元力によってロック機構５が解除され、滑車装置４の機能が通常の状態に戻る。
【００２３】
したがって、本実施形態の吊り天秤装置Ｂにおいては、クレーンなどの揚重機で吊り天秤本体１を吊り上げ、吊りロープ３を通じて滑車装置４に荷Ｍの荷重が作用するとともにロック機構５が作動して滑車４ａと吊りロープ３を固着することができる。
【００２４】
これにより、水平の地上などに載置した状態の荷Ｍを吊り上げると、自動的にロック機構５が作動し、水平などの適正状態を保持することができる。
【００２５】
よって、本実施形態の吊り天秤装置Ｂによれば、荷Ｍの重心位置が図心位置からずれていたり、荷全体が剛性とみなせず、重量が均等負荷されない場合などであっても、確実に荷Ｍの姿勢を水平などの適正な状態で維持しながら荷Ｍを吊り上げる（搬送する）ことが可能になる。
【００２６】
また、このような吊り天秤装置Ｂを用いることで、従来のようにレバーブロックの長さ調整に要する時間を削減することができ、玉掛けなどの吊り荷作業時間を短縮することが可能になる。
【００２７】
さらに、このような吊り天秤装置Ｂを用いると、荷を自動的に適正な状態で保持できるため、重量の異なる部材を横並びにして揚重することも可能になる。
【００２８】
以上、本発明に係る本実施形態の吊り天秤装置の一実施形態について説明したが、本発明は上記の一実施形態に限定されるものではなく、その趣旨を逸脱しない範囲で適宜変更可能である。
【符号の説明】
【００２９】
１      吊り天秤本体
２      従来の滑車装置
３      吊りロープ
４      滑車装置
４ａ    滑車
５      ロック機構
６      リンク機構
６ａ    リンクアーム
７      押圧板
８      バネ
Ａ      従来の吊り天秤装置
Ｂ      吊り天秤装置
Ｍ      荷
【図１】
2017007808.tif 000003
【図２】
2017007808.tif 000004
【図３】
2017007808.tif 000005
【図４】
2017007808.tif 000006